(57)【要約】【課題】  注文者から個別に注文を受け付け、団体ごとに注文を管理できるシステムを提供すること。【解決手段】  注文者から個別に注文を受け付け、前記注文者の団体ごとに注文を管理する販売システムであって、商品の販売対象となる団体に関する団体情報を記憶する記憶手段と、各注文者から、少なくとも前記注文者の団体及び注文商品を特定する情報を含む注文情報の入力を受け付けて登録する注文受付手段と、同じ団体の注文からなる注文リストを出力する注文リスト出力手段と、を備える。【選択図】図１
2020154511.tif 000002
【特許請求の範囲】
【請求項１】
注文者から個別に注文を受け付け、前記注文者の団体ごとに注文を管理する販売システムであって、
商品の販売対象となる団体に関する団体情報を記憶する記憶手段と、
各注文者から、少なくとも前記注文者の団体及び注文商品を特定する情報を含む注文情報の入力を受け付けて登録する注文受付手段と、
同じ団体の注文からなる注文リストを出力する注文リスト出力手段と、を備える販売システム。
【請求項２】
前記注文リスト出力手段は、前記注文リストとして、同じ商品種別の前記注文商品の注文からなるリストを出力する、請求項１に記載の販売システム。
【請求項３】
前記記憶手段は、前記団体情報として、商品の販売対象となる学校に関する学校情報を記憶し、
前記注文受付手段は、前記注文者の団体を特定する情報として、前記注文者の学校を特定する情報の入力を受け付け、
前記注文リスト出力手段は、同じ学校の注文からなるリストを前記注文リストとして出力する、請求項１又は請求項２に記載の販売システム。
【請求項４】
前記記憶手段は、前記学校情報として、学校の電話番号又は学校名を記憶し、
前記注文受付手段は、前記注文者の学校を特定する情報として、前記電話番号又は学校名の入力を受け付ける、請求項３に記載の販売システム。
【請求項５】
前記注文受付手段は、前記注文者の学年又は学級を特定する情報の入力を受け付け、
前記注文リスト出力手段は、同じ学年又は同じ学級の注文からなるリストを前記注文リストとして出力する、請求項３又は請求項４に記載の販売システム。
【請求項６】
前記記憶手段は、各販売店が販売する商品に関する商品情報及び前記販売店が担当する学校の前記学校情報と紐づいた、販売店情報を記憶し、
前記注文者の学校を担当し、かつ、前記注文商品を販売する前記販売店の有無を、前記注文者が入力した情報及び前記販売店情報に基づいて判定する判定手段を更に備える、請求項３〜５の何れかに記載の販売システム。
【請求項７】
前記注文者の学校を担当し、かつ前記注文商品を販売する前記販売店が存在しない、と前記判定手段が判定した場合に、警告を出力する、警告手段を更に備える、請求項６に記載の販売システム。
【請求項８】
前記注文受付手段は、前記注文情報として、更に少なくとも学校納品を含む選択肢から納品場所の選択を受け付け、
前記注文リスト出力手段は、各注文の前記納品場所を含む前記注文リストを出力する、請求項３〜７の何れかに記載の販売システム。
【請求項９】
注文者から個別に注文を受け付け、前記注文者の団体ごとに注文を管理する販売方法であって、販売システムに、
商品の販売対象となる団体に関する団体情報を記憶する記憶ステップと、
各注文者から、少なくとも前記注文者の団体及び注文商品を特定する情報を含む注文情報の入力を受け付けて登録する注文受付ステップと、
同じ団体の注文からなる注文リストを出力する注文リスト出力ステップと、を実行させる販売方法。
【請求項１０】
注文者から個別に注文を受け付け、前記注文者の団体ごとに注文を管理する販売プログラムであって、コンピュータを、
商品の販売対象となる団体に関する団体情報を記憶する記憶手段と、
各注文者から、少なくとも前記注文者の団体及び注文商品を特定する情報を含む注文情報の入力を受け付けて登録する注文受付手段と、
同じ団体の注文からなる注文リストを出力する注文リスト出力手段と、として機能させる販売プログラム。
【発明の詳細な説明】
【技術分野】
【０００１】
本発明は、個別に注文を受け付け、注文者の学校ごとに注文を管理する為の、販売システム、販売プログラム及び販売方法に関する。
【背景技術】
【０００２】
従来から、学校等の教育施設で使用する学用品は、教育施設が各児童・生徒の注文をとりまとめて注文をすることが多かった。しかし、このような形式では、教育施設が注文の管理を行う必要があり教育施設の負担が大きかった。また、現金での回収が必要となるため、保護者が児童・生徒に現金を持たせて教育施設に代金を支払うことになり、その管理についてもリスクが生じていた。
【０００３】
これに対し、特許文献１に記載のシステムでは、払込取扱票を商品とともに梱包して納品することで、代金回収や支払いの負担を軽減することができる。
【先行技術文献】
【特許文献】
【０００４】
【特許文献１】特開２００７−１１５２１６号公報
【発明の概要】
【発明が解決しようとする課題】
【０００５】
しかし、特許文献１に記載のシステムは、団体ごとにきめられた一定期間内の販売活動において発生した注文に対して、受注データを入力する必要があった。即ち、団体の担当者等が、団体に所属する各個人の注文を取りまとめて入力を行うことが必要であり、団体が複数の注文の管理を行う手間が生じていた。
【０００６】
このような注文の管理は、注文を行う団体にとっては負担になる。また、注文者が注文内容を代表者に伝え、更に代表者が注文を取りまとめて発注する、という手順が必要になるため、重複作業が生じる上に、注文内容の伝達ミスが生じるリスクも高まるという課題があった。
【０００７】
本発明は、上記のような課題に鑑みてなされたものであり、注文者から個別に注文を受け付け、団体ごとに注文を管理できるシステムを提供することを課題とする。
【課題を解決するための手段】
【０００８】
上記課題を解決するために、本発明は、注文者から個別に注文を受け付け、前記注文者の団体ごとに注文を管理する販売システムであって、
商品の販売対象となる団体に関する団体情報を記憶する記憶手段と、
各注文者から、少なくとも前記注文者の団体及び注文商品を特定する情報を含む注文情報の入力を受け付けて登録する注文受付手段と、
同じ団体の注文からなる注文リストを出力する注文リスト出力手段と、を備える。
【０００９】
このような構成とすることで、注文者によって入力された、団体を特定する情報に基づいて、個別の注文を団体ごとにまとめた注文リストを出力することができる。これにより、注文者各自から個別に注文を受け付けながら、同じ団体の注文を見分けて一括管理することができる。また、注文リストが出力されることで、団体が自ら注文内容を管理せずとも、誰がどの商品を注文したかを把握することができ、利便性が向上する。
【００１０】
本発明の好ましい形態では、前記注文リスト出力手段は、前記注文リストとして、同じ商品種別の前記注文商品の注文からなるリストを出力する。
このような構成とすることで、注文商品の商品種別ごとに注文者を確認でき、団体の管理者等が、どのメンバーが商品を注文したのかを確認できる。また、注文商品の受け渡しをスムーズに行うことができる。
【００１１】
本発明の好ましい形態では、前記記憶手段は、前記団体情報として、商品の販売対象となる学校に関する学校情報を記憶し、
前記注文受付手段は、前記注文者の団体を特定する情報として、前記注文者の学校を特定する情報の入力を受け付け、
前記注文リスト出力手段は、同じ学校の注文からなるリストを前記注文リストとして出力する。
このような構成とすることで、学校で使用される学用品等の注文において、学校ごとに注文をまとめて管理することができる。
【００１２】
本発明の好ましい形態では、前記記憶手段は、前記学校情報として、学校の電話番号又は学校名を記憶し、
前記注文受付手段は、前記注文者の学校を特定する情報として、前記電話番号又は学校名の入力を受け付ける。
このような構成とすることで、電話番号又は学校名によって学校を確実に特定でき、注文者による入力が簡単になる。
【００１３】
本発明の好ましい形態では、前記注文受付手段は、前記注文者の学年又は学級を特定する情報の入力を受け付け、
前記注文リスト出力手段は、同じ学年又は同じ学級の注文からなるリストを前記注文リストとして出力する。
このような構成とすることで、学年ごとや学級ごとに、注文を確認することができる。これにより、例えば学年主任や各学級の担任の教員が、自らの担当の学年又は学級に絞って、誰がどの商品を注文したかを確認できる。
【００１４】
本発明の好ましい形態では、前記記憶手段は、各販売店が販売する商品に関する商品情報及び前記販売店が担当する学校の前記学校情報と紐づいた、販売店情報を記憶し、
前記注文者の学校を担当し、かつ、前記注文商品を販売する前記販売店の有無を、前記注文者が入力した情報及び前記販売店情報に基づいて判定する判定手段を更に備える。
このような構成とすることで、各学校の担当販売店に限定して、商品を販売することができる。一般に、教材等の学用品の販売においては、販売店ごとに担当する地域が決まっており、販売店は担当外の地域の学校に商品の販売は行わない。このような構成とすることで、各販売店のテリトリー（担当地域）を守りながら、個別に注文を受け付けることができる。
【００１５】
本発明の好ましい形態では、前記注文者の学校を担当し、かつ前記注文商品を販売する前記販売店が存在しない、と前記判定手段が判定した場合に、警告を出力する、警告手段を更に備える。
このような構成とすることで、注文者の学校の担当販売店が扱わない商品が注文商品として指定された場合に、その旨を警告することができる。
【００１６】
本発明の好ましい形態では、前記注文受付手段は、前記注文情報として、更に少なくとも学校納品を含む選択肢から納品場所の選択を受け付け、
前記注文リスト出力手段は、各注文の前記納品場所を含む前記注文リストを出力する。
このような構成とすることで、同一の学校の注文者による注文を、注文者の希望に応じて一括して学校に納品することができる。また、注文リストにおいて納品場所を示すことで、例えば教員等による商品の配布の際に、学校に納品された商品を配るべき注文者と、自宅等別の場所で商品を受け取る注文者と、を区別できる。
【００１７】
本発明は、注文者から個別に注文を受け付け、前記注文者の団体ごとに注文を管理する販売方法であって、販売システムに、
商品の販売対象となる団体に関する団体情報を記憶する記憶ステップと、
各注文者から、少なくとも前記注文者の団体及び注文商品を特定する情報を含む注文情報の入力を受け付けて登録する注文受付ステップと、
同じ団体の注文からなる注文リストを出力する注文リスト出力ステップと、を実行させる。
【００１８】
本発明は、注文者から個別に注文を受け付け、前記注文者の団体ごとに注文を管理する販売プログラムであって、コンピュータを、
商品の販売対象となる団体に関する団体情報を記憶する記憶手段と、
各注文者から、少なくとも前記注文者の団体及び注文商品を特定する情報を含む注文情報の入力を受け付けて登録する注文受付手段と、
同じ団体の注文からなる注文リストを出力する注文リスト出力手段と、として機能させる。
【発明の効果】
【００１９】
本発明によれば、注文者から個別に注文を受け付け、団体ごとに注文を管理できるシステムを提供することができる。
【図面の簡単な説明】
【００２０】
【図１】本発明の実施形態における販売システムの機能ブロック図である。
【図２】本発明の実施形態における販売システムの注文リストの一例を示す図である。
【図３】本発明の実施形態における販売システムの記憶手段が記憶する各種の情報の一例を示す図である。
【図４】本発明の実施形態における販売システムの販売企画情報の一例を示す図である。
【図５】本発明の実施形態における販売システムにおける注文の受付から警告の出力までの処理を示すフローチャートである。
【図６】本発明の実施形態における販売システムの注文情報入力画面の表示例である。
【図７】本発明の実施形態における販売システムの警告内容の一例を示す図である。
【図８】本発明の実施形態における販売システムの注文リストの出力に係る処理を示すフローチャートである。
【発明を実施するための形態】
【００２１】
以下、図面を用いて、本発明に関する販売システムについて説明する。なお、以下に示す実施形態は本発明の一例であり、本発明を以下の実施形態に限定するものではなく、様々な構成を採用することもできる。
【００２２】
例えば、本実施形態では販売システムの構成、動作等について説明するが、同様の構成の方法、サーバ装置、コンピュータプログラム、記録媒体等も、同様の作用効果を奏することができる。また、プログラムは、記録媒体に記憶させてもよい。この記録媒体を用いれば、例えばコンピュータにプログラムをインストールすることができる。ここで、プログラムを記憶した記録媒体は、例えばＣＤ−ＲＯＭ等の非一過性の記録媒体であっても良い。
【００２３】
本実施形態では、学校等の教育機関で児童や生徒が使用する学用品を、学校ごとに販売する形態を示す。しかし、本発明はこれに限定されず、販売商品や団体の単位は任意に変更してよい。
【００２４】
本発明において注文者とは、注文手続きを行う人物を指す。従って本実施形態における注文者は児童又は生徒の保護者等である。また、児童又は生徒自身が注文者となってもよい。そして、注文者の団体とは、注文商品を実際に使用する人物が所属する団体を指す。例えば児童が学校で使用する教材をその保護者が注文する場合、注文者は保護者であり、注文者の団体とは教材を使用する児童が通う学校を指す。本実施形態では更に、注文者の団体として、注文商品を使用する生徒又は児童の学級の情報も受け付ける。
【００２５】
また、本発明において注文リストとは、注文者の団体ごとに注文の情報を示すものである。本実施形態では、注文者の学校と、学級と、注文商品の商品種別と、が同一の注文について、少なくとも注文者及び納品場所を示す学校向けのリストである。また、本実施形態では学級ごとの注文リストに加えて更に、注文者の学校に関わらず商品種別が同一の注文からなる販売店向けの注文リストを出力する。なお、学級ごとの注文リストのみを出力する形態や、学年ごとの注文リストを出力する形態としてもよい。
【００２６】
本実施形態においては、販売店情報として販売店ごとの担当学校及び販売商品に関する商品情報を記憶し、学校ごとに販売店を限定して学用品の販売を行う。なお、本実施形態では、各販売店が販売する商品に関する商品情報及び各販売店が担当する学校の学校情報を、販売店情報に紐づけて記憶する形態を示すが、各販売店の担当する学校と、扱う商品と、が特定できればデータ構造は問わない。例えば、学校情報として地域を記憶し、販売店情報として担当地域を記憶することで、間接的に販売店情報を学校情報と紐づけて、各学校の担当販売店を示す構成としてもよい。
【００２７】
図１は、本実施形態における販売システムの機能ブロック図である。本実施形態における販売システムは、商品の販売に関する様々な処理を行うサーバ装置１と、販売システムの管理に関する入出力を行う管理者端末２と、サーバ装置１との間で注文リストの受信等を行う学校端末３と、注文者からの注文に関する入出力を行う注文者端末４と、がネットワークＮＷを介して通信可能に構成される。なお、ここでは管理者端末２、学校端末３及び注文者端末４をそれぞれ１つずつ図示するが、これらはそれぞれ複数存在してよい。
【００２８】
サーバ装置１としては、ＣＰＵ（Ｃｅｎｔｒａｌ  Ｐｒｏｃｅｓｓｉｎｇ  Ｕｎｉｔ）等の演算装置、ＲＡＭ（Ｒａｎｄｏｍ  Ａｃｃｅｓｓ  Ｍｅｍｏｒｙ）等の主記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、フラッシュメモリ等の補助記憶装置、ネットワークへの接続手段を含む種々の入出力装置等を備えた、サーバ装置等の一般的なコンピュータ装置を利用することができる。なお、複数のコンピュータ装置を協働させて本発明におけるサーバ装置１の各種の機能を実現する構成としてもよい。
【００２９】
また、管理者端末２、学校端末３及び注文者端末４としては、演算装置、主記憶装置、補助記憶装置、ネットワークへの接続手段や、種々の入出力装置等を備えた、一般的なコンピュータ装置を利用することができる。本実施形態では、例えばＰＣ（Ｐｅｒｓｏｎａｌ  Ｃｏｍｐｕｔｅｒ）や、タブレット端末、スマートフォン等のコンピュータ装置を用いることを想定する。
【００３０】
サーバ装置１は、注文受付手段１１と、注文リスト出力手段１２と、判定手段１３と、警告手段１４と、表示手段１５と、記憶手段１６と、を備える。また、管理者端末２、学校端末３及び注文者端末４はそれぞれ、入力手段２１、３１、４１及び出力手段２２、３２、４２を備え、各種の入出力を行う。
【００３１】
注文受付手段１１は、注文者端末４を介して、各注文者から、注文者の学校及び注文商品を特定する情報を含む注文情報の入力を受け付けて記憶手段１６に格納する。本実施形態では、注文商品の選択を受け付けて、更に納品場所と、注文者氏名と、学年及び学級と、注文者の学校の電話番号と、の入力を受け付け、これに基づいて後述する注文情報を登録する。
【００３２】
注文リスト出力手段１２は、管理者端末２の要求に応じて、同じ団体の注文からなる注文リストを出力する。本実施形態では、管理者端末２を介した管理者の入力に応じて、注文商品と、学校と、学級と、が全て同一の注文からなる注文リストを作成し、出力する。具体的には、管理者端末２を介して学校別リストの出力を要求する入力を受け付け、自動的に学級及び注文商品の商品種別が同一の注文からなる複数のリストを出力する。これにより、学校の教員等が、どの児童又は生徒が商品を購入したかを知ることができるため、好適に注文の管理を行うことができる。また、この他にも学年ごとや学校ごとの注文リスト等、任意の単位で注文をまとめたリストを出力してもよい。
【００３３】
また、本実施形態では更に、学校や学級を区別せず、販売店及び注文商品が同一の注文からなる販売店用の注文リストも別途出力する。各注文を担当する販売店は、注文情報に紐づく学校情報に基づいて判断することができる。具体的には、管理者端末２や販売店の端末を介して販売店用リストの出力を要求する入力を受け付け、これに応じて自動的に販売店及び注文商品が同一の注文からなる複数のリストを出力する。これにより、販売店はこの注文リストを発注書代わりに用いることができる。なお、本実施形態では、管理者端末２の入力に応じて注文リストを作成するが、注文情報に基づいて自動的に注文リストを出力する構成としてもよい。
【００３４】
図２は、本実施形態における学校向けの注文リストの一例を示す図である。このように、本実施形態では、学級ごとに同じ商品種別の商品に対する注文をまとめたリストを、注文リストとして出力する。注文リストは、任意の形式で出力されればよいが、本実施形態の注文リスト出力手段１２は、表データの形式で注文リストを出力し、管理者端末２からの入力に応じて、サーバ装置１が販売店の端末に送信する。そして、販売店において注文リストが印刷され、商品とともに学校に納品される。なお、この他にも注文リストを学校端末３に送信する構成としてもよい。学校端末３に送信された注文リストは、画面への表示や印刷等によって、教員等に確認可能な形式として提供される。本実施形態の注文リストは、各注文の注文者である生徒（児童）氏名、納品場所、商品名及び注文の数量の情報を含む。
【００３５】
ここで、本実施形態では、例えば「絵具セット」等の各商品種別についてデザインの異なる「絵具セットＡ」、「絵具セットＢ」等のような複数の商品を扱う。本実施形態では「絵具セットＡ」、「絵具セットＢ」等はいずれも「絵具セット」という同一の商品種別に属するため、図２のようにひとつの注文リストにまとめて出力される。教員等は授業等で使う商品を商品種別毎にどの児童又は生徒が購入したかを確認する必要がある為、本実施形態ではこのように商品種別ごとに注文リストを出力する。なお、「絵具セットＡ」等のような個別の商品ごとに注文リストを出力する構成としてもよい。
【００３６】
判定手段１３は、商品情報及び学校情報と紐づいた販売店情報と、注文者が入力した情報と、に基づいて、注文者の学校を担当し、かつ、注文商品を販売する販売店の有無を判定する。そして、注文者の学校を担当し、かつ、注文商品を販売する販売店がない、と判定手段１３が判定すると、警告手段１４は担当販売店が不明であることを示す警告を出力する。具体的には、例えば入力された電話番号に対応する学校情報が存在しない場合や、注文者の入力によって特定された学校を担当する販売店が、注文者によって選択された注文商品を扱わない場合に、警告が出力される。
【００３７】
本実施形態では、まず注文者の入力内容に関わらず注文受付手段１１が注文情報を記憶手段１６に登録し、判定手段１３は、記憶手段１６に登録された注文情報について判定を行う。そして、担当販売店が不明な注文情報が含まれる場合、警告手段１４が警告を出力し、サーバ装置１が管理者端末２に警告を送信する。
【００３８】
なお、注文受付手段１１が注文者からの入力を受け付けた時点で判定手段１３が販売店情報に基づいて判定を行い、注文者の学校を担当し、かつ、注文商品を販売する販売店が存在しない場合には、注文情報の登録を行わない構成としてもよい。この場合には、警告手段１４が出力した警告は、サーバ装置１によって注文者端末４に送信され、注文者端末４において警告を出力して、注文商品の再選択や、その他の注文情報の再入力を注文者に促す構成とすることが好ましい。
【００３９】
表示手段１５は、注文の受付や管理を行う為の各種の画面を表示処理して処理結果を送信する。具体的には、例えば、注文を受け付ける為の注文情報入力画面を表示処理し、注文者端末４において表示する為に処理結果を送信する。
【００４０】
記憶手段１６は、商品の販売対象となる学校に関する学校情報を記憶する。また、本実施形態では更に、注文情報と、商品情報と、販売店情報と、販売企画情報と、を記憶する。図３及び図４は、本実施形態において記憶手段１６が記憶する情報の一例を示す図である。
【００４１】
図３（ａ）は、注文情報の一例を示す。このように、本実施形態における注文情報は、注文番号と、注文者氏名と、注文者の学校に関する学校情報を指定する学校ＩＤと、注文商品に関する商品情報を指定する商品ＩＤと、注文者の学級と、納品場所と、代金の支払方法と、注文の数量と、を含む。商品ＩＤは、注文者が選択した商品に応じて特定され、また学校ＩＤは、注文者が入力した、学校の電話番号又は学校名に基づいて特定される。なお、学校ＩＤの代わりに、注文者が入力した電話番号又は学校名をそのまま記憶する構成としてもよい。
【００４２】
図３（ｂ）は、学校情報の一例を示す。このように、本実施形態における学校情報は、学校ＩＤと、小学校、中学校、幼稚園・保育園、その他教育施設等の学校種別と、学校の電話番号と、学校名と、学校の地域と、を含む。これにより、注文者から学校の電話番号又は学校名の入力を受け付けることで、注文者の学校を特定できる。
【００４３】
図３（ｃ）は、商品情報の一例を示す。このように、本実施形態における商品情報は、商品ＩＤと、商品名と、商品の価格と、商品紹介用の画像と、商品の説明文と、を含む。画像及び説明文は、注文者端末４等において商品の紹介ページを表示する際に用いられる。
【００４４】
図３（ｄ）は、販売店情報の一例を示す。このように、本実施形態における販売店情報は、販売店ＩＤと、取扱商品の商品ＩＤ（取扱い商品ＩＤ）と、販売店が担当する学校の学校ＩＤ（担当学校ＩＤ）と、を含む。これにより、各販売店が取り扱う商品と、担当する学校と、を特定できる。また、担当学校ＩＤの代わりに担当地域を記憶してもよい。この場合、学校情報に含まれる地域に基づいて、各販売店の担当する学校を特定することができる。
【００４５】
このように、販売店情報と、学校情報及び商品情報と、を直接的又は間接的に紐づけて記憶しておくことで、注文情報における学校ＩＤ及び商品ＩＤから、各注文を担当する販売店を特定することができる。これによって、販売店向けの注文リストを出力することができる。また、注文情報において特定された学校を担当し、かつ注文情報において指定された注文商品を販売する販売店の有無を判定することができる。
【００４６】
また、図４は、本実施形態における販売企画情報の一例を示す。本実施形態では、各学校が期間を指定した販売企画を登録し、販売期間を表示する。具体的には、例えば、小学校で絵具を使った図画工作の授業が始まる前に、所定の期間で絵具セットの購入を促すような場合を想定する。この場合には、学校の教員等が学校端末３を介して、少なくとも販売期間を含む販売企画情報を入力し、サーバ装置１がこれを受け付けて記憶手段１６に登録する。これにより、各販売ページにおいて販売期間を表示することができる。
【００４７】
なお、本実施形態において、販売企画における販売期間は販売ページで表示されるが、販売期間の経過後も変わらず注文を受け付ける。ただし、販売期間の終了時に注文リストを出力し、販売期間の経過後に受け付けられた注文は区別して扱う構成としてもよい。
【００４８】
図５は、本実施形態における注文の受付から警告の出力までの処理を示すフローチャートである。まずステップＳ１１で、表示手段１５が、注文者の学校の地域を選択させるための画面を表示処理して処理結果を送信し、注文者端末４において表示する。そして注文受付手段１１が、注文者端末４を介して注文者の学校の地域の選択を受け付ける。
【００４９】
地域が選択されると、ステップＳ１２に進み、ステップＳ１１で選択された地域を担当する販売店が取り扱う商品を表示する商品選択画面を、表示手段１５が表示処理して処理結果を送信し、注文者端末４において表示する。ここで表示される商品は、販売店情報に基づいて決定される。具体的には、まず学校情報に基づいてステップＳ１１で選択された地域に含まれる学校を特定し、当該学校を担当する販売店情報に紐づく商品情報を表示処理することで、選択された地域の学校に販売可能な商品を表示することができる。
【００５０】
なお、販売店情報が担当地域を含む場合には、この担当地域に基づいて販売店を特定して表示する商品を決定すればよい。また、販売店は各担当地域・学校に対してひとつである必要はなく、例えばある地域において、絵具セットＡは販売店１が販売し、絵具セットＢは販売店２が販売する等のように、商品ごとに担当販売店を分けるような構成としてもよい。この場合には、例えば商品のメーカーごとに販売店の担当を決める等の方法が考えられる。この場合には、注文リスト出力手段１２は、学校向け注文リストとして、商品種別、学級及び販売店が一致する注文をまとめた注文リストを出力する構成としてもよい。
【００５１】
ここで本実施形態では、ステップＳ１１で選択された地域に含まれる学校に対応する販売企画情報に基づいて、商品選択画面において各学校の販売企画における販売期間が表示される。これにより、注文者は販売期間を考慮して注文を検討することができる。また、更に商品種別の選択を受け付け、これに応じて商品選択画面において販売期間及び販売可能な商品を表示する構成としてもよい。
【００５２】
ステップＳ１３では、注文受付手段１１が、注文者端末４に表示された画面を介して注文商品の選択を受け付ける。本実施形態では、ここで数量の入力も併せて受け付ける。
【００５３】
注文商品が選択されると、ステップＳ１４に進み、注文受付手段１１がその他の注文情報の入力を受け付ける。図６は、注文情報入力画面Ｗ１の表示例を示す図である。このように、本実施形態では、納品場所と、児童又は生徒氏名と、注文者の学年及びクラスと、学校の電話番号と、の入力を受け付ける。なお、学校の電話番号に替えて、又は加えて、学校名の入力を受け付けてもよい。また、この時、代金の支払方法の選択や、クレジットカードの情報等の入力を受け付けて、事前決済を行うこともできる。支払方法として払込用紙が選択された場合には、注文者の住所に払込用紙を送付することで、児童・生徒に現金を持たせることなく安全かつ確実に、商品代金の精算を行うことができる。
【００５４】
本実施形態では、ここで受け付けた情報に基づいて、図３（ａ）の注文情報を登録する。そして、所定のタイミングでステップＳ１５に進み、判定手段１３が記憶手段１６に登録された注文情報について注文の可否を判定する。具体的には、注文情報における学校ＩＤ及び商品ＩＤを確認し、その両方と紐づいた販売店情報が存在するかを確認する。これにより、注文者の学校に対して、注文商品を販売できる販売店を特定することができる。
【００５５】
そして、ステップＳ１５で注文不可、即ち、注文者の学校を担当し、かつ注文商品を販売する販売店が存在しない、と判定手段１３が判定した場合（ステップＳ１６でＮ）、ステップＳ１７に進み、当該注文情報について、警告手段１４が警告を出力する。
【００５６】
具体的には、例えば、判定手段１３は、管理者端末２を介して注文情報の判定要求を受け付けて、これに基づいて各注文情報について注文の可否を判定する。そして、注文不可な注文情報が存在する場合には、警告手段１４が出力した警告を、サーバ装置１が管理者端末２に送信して、管理者端末２において画面への表示等を行う。
【００５７】
これにより、管理者端末２の操作に応じて、販売システムの管理者が、商品を配送できない注文を確認することができる。そして、管理者端末２の入力に応じて、例えば図７に示すような文面を当該注文の注文者端末４に送信して、注文をキャンセル扱いとすることができる。
【００５８】
なお、前述の通り、ステップＳ１４で注文受付手段１１が注文者からの入力を受け付けた時点で判定手段１３が販売店情報に基づいて判定を行う構成としてもよい。この場合には、注文不可な場合に警告手段１４が出力した警告は、サーバ装置１によって注文者端末４に送信され、注文者端末４において図７のように警告を出力して、注文商品の再選択や、その他の注文情報の再入力を注文者に促す構成とすることが好ましい。
【００５９】
このように、ステップＳ１５〜Ｓ１７における、注文情報の判定及び警告の出力は、任意のタイミングで行うことができる。上述の例の他には、例えば、所定数の注文情報を登録するごとにまとめて判定する構成としてもよいし、所定の時間間隔でまとめて判定を行う構成とすることもできる。また、後述の注文リストの出力の際に判定を行う構成としてもよい。
【００６０】
図８は、本実施形態における注文リストの出力に係る処理の流れを示すフローチャートである。なお、ここでは、注文商品の商品種別、学校及び学級が一致する注文からなる注文リストを出力する場合について例示する。以下、「学級が同一」という場合には学校についても同一であるものとする。本実施形態では、注文者の学校に関わらず、注文商品及び販売店が一致する注文からなる注文リストも別途出力するが、処理の手順は同様であるため説明を省略する。
【００６１】
まず、ステップＳ２１において、管理者端末２の要求に応じて、注文リスト出力手段１２が、商品種別、注文者の学級が同一の注文情報を抽出する。本実施形態では、管理者端末２を介して、商品種別及び学級が一致する注文をまとめた「学校向け注文リスト」を出力する要求や、注文商品及び販売店が一致する注文をまとめた「販売店向け注文リスト」を出力する要求を受け付け、これに応じて複数の注文リストを自動的に出力する。
【００６２】
この他には例えば、管理者端末２を介して学級と、商品種別と、の選択を受け付けて、それに応じて個別の注文リストを出力する構成としてもよい。また、販売企画情報と連携し、販売期間が終了した販売企画について、対象となる注文情報を抽出して注文リストを出力する構成としてもよい。
【００６３】
次にステップＳ２２において、注文リスト出力手段１２は、各商品種別及び学級について、注文情報を抽出する。ここで、「販売店向け注文リスト」の出力が要求された場合には、学級や学校に関わらず、注文商品及び販売店が一致する注文情報を抽出すればよい。
【００６４】
そして、ステップＳ２３で、注文リスト出力手段１２が、抽出された注文情報に基づいて注文リストを作成し、出力して処理を終了する。ここで出力された注文リストは、管理者端末２からの要求に応じて、学校端末３や販売店の端末等に送信される。
【００６５】
このようにして受け付けられた注文は、各注文情報における納品場所に応じて納品される。この際に、各注文の納品場所を記載した学級ごとの注文リストを学校に提供することで、学校に届いた注文商品をどの児童・生徒に配布すればよいのかを教員等が理解でき、スムーズに商品の受け渡しを行うことができる。また、どの児童又は生徒が商品を購入したかを把握することができ、学校における注文管理が行いやすくなる。
【００６６】
なお、本実施形態では、注文リスト出力手段１２が、注文情報に基づいて、団体や商品等予め設定された所定の条件を満たす注文を自動的に抽出して注文リストを出力する構成を示したが、例えば、管理者端末２を介して、注文リストに出力する注文情報の条件の入力を受け付け、これに基づいて注文リスト出力手段１２が注文リストを出力する構成としてもよい。
【００６７】
以上のように、商品の指定と共に団体を特定する情報の入力を受け付けることで、個別に注文を受け付けても、団体ごとに注文の管理を行うことができる。また、注文リストを出力することで、販売店による配送手続きや、学校における商品の受け渡しを好適に行うことができる。
【００６８】
更に、一般的に学用品の販売店において定められている、販売店ごとの担当地域に基づいて、注文者が指定した注文商品の販売可否を判定することにより、学校ごとの担当販売店に限定して注文を受け付けることができる。これにより、各販売店のテリトリーを守りながら、学用品の販売を行うことができる。
【００６９】
なお、本実施形態は本発明の実施の一例であり、趣旨を逸脱しない範囲で任意に構成を変更してよい。例えば、各学校を担当する販売店に基づく、商品の販売可否の判定のタイミングは、任意に変更してよい。また、本実施形態では販売企画情報によって、各学校が指定する販売期間を特定する構成を示したが、特に販売期間を記憶せず、例えば学校端末３からの要求に応じたタイミングで注文を締め切って注文リストを出力する構成等としてもよい。
【符号の説明】
【００７０】
１  サーバ装置
１１  注文受付手段
１２  注文リスト出力手段
１３  判定手段
１４  警告手段
１５  表示手段
１６  記憶手段
２  管理者端末
２１  入力手段
２２  出力手段
３  学校端末
３１  入力手段
３２  出力手段
Ｗ１  注文情報入力画面
【図１】
2020154511.tif 000003
【図２】
2020154511.tif 000004
【図３】
2020154511.tif 000005
【図４】
2020154511.tif 000006
【図５】
2020154511.tif 000007
【図６】
2020154511.tif 000008
【図７】
2020154511.tif 000009
【図８】
2020154511.tif 000010
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
注文者から個別に注文を受け付け、前記注文者の団体ごとに注文を管理する、コンピュータにより構成される販売システムであって、
商品の販売対象となる前記注文者の団体に関する団体情報を記憶する記憶手段と、
各注文者から、少なくとも前記注文者の団体の前記団体情報を特定する情報及び注文商品を特定する情報を含む注文情報の入力を受け付けて、各々の前記注文情報を登録する注文受付手段と、
前記注文情報における、前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを出力する注文リスト出力手段と、を備える販売システム。
【請求項２】
前記注文リスト出力手段は、前記注文リストとして、同じ商品種別の前記注文商品の注文からなるリストを出力する、請求項１に記載の販売システム。
【請求項３】
前記記憶手段は、前記団体情報として、商品の販売対象となる学校に関する学校情報を記憶し、
前記注文受付手段は、前記注文者の団体を特定する情報として、前記注文者の学校を特定する情報の入力を受け付け、
前記注文リスト出力手段は、前記注文者の学校が同一の前記注文情報を抽出し、抽出された前記注文情報に基づいて、同じ学校の注文からなるリストを前記注文リストとして出力する、請求項１又は請求項２に記載の販売システム。
【請求項４】
前記記憶手段は、前記学校情報として、学校の電話番号又は学校名を記憶し、
前記注文受付手段は、前記注文者の学校を特定する情報として、前記電話番号又は学校名の入力を受け付ける、請求項３に記載の販売システム。
【請求項５】
前記注文受付手段は、前記注文者の学年又は学級を特定する情報の入力を受け付け、
前記注文リスト出力手段は、前記注文者の学年又は学級が同一の前記注文情報を抽出し、抽出された前記注文情報に基づいて、同じ学年又は同じ学級の注文からなるリストを前記注文リストとして出力する、請求項３又は請求項４に記載の販売システム。
【請求項６】
前記記憶手段は、各販売店が販売する商品に関する商品情報及び前記販売店が担当する学校の前記学校情報と紐づいた、販売店情報を記憶し、
前記注文者の学校を担当し、かつ、前記注文商品を販売する前記販売店の有無を、前記注文者が入力した情報及び前記販売店情報に基づいて判定する判定手段を更に備える、請求項３〜５の何れかに記載の販売システム。
【請求項７】
前記注文者の学校を担当し、かつ前記注文商品を販売する前記販売店が存在しない、と前記判定手段が判定した場合に、警告を出力する、警告手段を更に備える、請求項６に記載の販売システム。
【請求項８】
前記注文受付手段は、前記注文情報として、更に少なくとも学校納品を含む選択肢から納品場所の選択を受け付け、
前記注文リスト出力手段は、各注文の前記納品場所を含む前記注文リストを出力する、請求項３〜７の何れかに記載の販売システム。
【請求項９】
注文者から個別に注文を受け付け、前記注文者の団体ごとに注文を管理する販売方法であって、コンピュータにより構成される販売システムに、
商品の販売対象となる前記注文者の団体に関する団体情報を記憶する記憶ステップと、
各注文者から、少なくとも前記注文者の団体の前記団体情報を特定する情報及び注文商品を特定する情報を含む注文情報の入力を受け付けて、各々の前記注文情報を登録する注文受付ステップと、
前記注文情報に含まれた前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを出力する注文リスト出力ステップと、を実行させる販売方法。
【請求項１０】
注文者から個別に注文を受け付け、前記注文者の団体ごとに注文を管理する販売プログラムであって、コンピュータを、
商品の販売対象となる前記注文者の団体に関する団体情報を記憶する記憶手段と、
各注文者から、少なくとも前記注文者の団体の前記団体情報を特定する情報及び注文商品を特定する情報を含む注文情報の入力を受け付けて、各々の前記注文情報を登録する注文受付手段と、
前記注文情報における、前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを出力する注文リスト出力手段と、として機能させる販売プログラム。
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
注文者から個別に注文を受け付け、前記注文者の団体ごとに注文を管理する、コンピュータにより構成される販売システムであって、
商品の販売対象となる前記注文者の団体に関する団体情報を記憶する記憶手段と、
各注文者から、少なくとも前記注文者の団体の前記団体情報を特定する情報及び注文商品を特定する情報を含む注文情報の入力を受け付けて、各々の前記注文情報を登録する注文受付手段と、
前記注文情報における、前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを、当該団体の担当者が閲覧できる形式で出力する注文リスト出力手段と、を備え、
前記注文リスト出力手段は、前記注文リストとして、各注文について前記注文商品及び注文者を表示するリストを出力する販売システム。
【請求項２】
前記注文リスト出力手段は、前記注文リストとして、同じ商品種別の前記注文商品の注文からなるリストを出力する、請求項１に記載の販売システム。
【請求項３】
前記記憶手段は、前記団体情報として、商品の販売対象となる学校に関する学校情報を記憶し、
前記注文受付手段は、前記注文者の団体を特定する情報として、前記注文者の学校を特定する情報の入力を受け付け、
前記注文リスト出力手段は、前記注文者の学校が同一の前記注文情報を抽出し、抽出された前記注文情報に基づいて、同じ学校の注文からなるリストを前記注文リストとして出力する、請求項１又は請求項２に記載の販売システム。
【請求項４】
前記記憶手段は、前記学校情報として、学校の電話番号又は学校名を記憶し、
前記注文受付手段は、前記注文者の学校を特定する情報として、前記電話番号又は学校名の入力を受け付ける、請求項３に記載の販売システム。
【請求項５】
前記注文受付手段は、前記注文者の学年又は学級を特定する情報の入力を受け付け、
前記注文リスト出力手段は、前記注文者の学年又は学級が同一の前記注文情報を抽出し、抽出された前記注文情報に基づいて、同じ学年又は同じ学級の注文からなるリストを前記注文リストとして出力する、請求項３又は請求項４に記載の販売システム。
【請求項６】
前記記憶手段は、各販売店が販売する商品に関する商品情報及び前記販売店が担当する学校の前記学校情報と紐づいた、販売店情報を記憶し、
前記注文者の学校を担当し、かつ、前記注文商品を販売する前記販売店の有無を、前記注文者が入力した情報及び前記販売店情報に基づいて判定する判定手段を更に備える、請求項３〜５の何れかに記載の販売システム。
【請求項７】
前記注文者の学校を担当し、かつ前記注文商品を販売する前記販売店が存在しない、と前記判定手段が判定した場合に、警告を出力する、警告手段を更に備える、請求項６に記載の販売システム。
【請求項８】
前記注文受付手段は、前記注文情報として、更に少なくとも学校納品を含む選択肢から納品場所の選択を受け付け、
前記注文リスト出力手段は、各注文の前記納品場所を含む前記注文リストを出力する、請求項３〜７の何れかに記載の販売システム。
【請求項９】
注文者から個別に注文を受け付け、前記注文者の団体ごとに注文を管理する販売方法であって、コンピュータにより構成される販売システムに、
商品の販売対象となる前記注文者の団体に関する団体情報を記憶する記憶ステップと、
各注文者から、少なくとも前記注文者の団体の前記団体情報を特定する情報及び注文商品を特定する情報を含む注文情報の入力を受け付けて、各々の前記注文情報を登録する注文受付ステップと、
前記注文情報に含まれた前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを、当該団体の担当者が閲覧できる形式で出力する注文リスト出力ステップと、を実行させ、
前記注文リスト出力ステップでは、前記注文リストとして、各注文について前記注文商品及び注文者を表示するリストを出力する販売方法。
【請求項１０】
注文者から個別に注文を受け付け、前記注文者の団体ごとに注文を管理する販売プログラムであって、コンピュータを、
商品の販売対象となる前記注文者の団体に関する団体情報を記憶する記憶手段と、
各注文者から、少なくとも前記注文者の団体の前記団体情報を特定する情報及び注文商品を特定する情報を含む注文情報の入力を受け付けて、各々の前記注文情報を登録する注文受付手段と、
前記注文情報における、前記団体情報を特定する情報に基づいて前記注文者の団体を特定して、複数の前記注文情報の中から前記注文者の団体が同一の前記注文情報を抽出し、抽出された前記注文情報に基づいて、同じ団体の注文からなる注文リストを、当該団体の担当者が閲覧できる形式で出力する注文リスト出力手段と、として機能させ、
前記注文リスト出力手段は、前記注文リストとして、各注文について前記注文商品及び注文者を表示するリストを出力する販売プログラム。